(57)【要約】【課題】安定性の高い脂質二重膜デバイス１を提供する。【解決手段】脂質二重膜デバイス１は、先端面が曲面からなる凸形状で、導電性の含水材料からなる突起部１０と、脂質２１が溶解されている油性溶液層２０が液面を覆っている導電性の水溶液３０が蓄えられた貯液槽４０と、突起部１０の先端面と水溶液３０の液面３０ＳＡとの間に形成された脂質２１からなる脂質二重膜２２と、を具備する。【選択図】図４
2014161821.tif 000002
【特許請求の範囲】
【請求項１】
先端面が曲面からなる凸形状で、導電性の含水材料からなる突起部と、
脂質が溶解されている油性溶液層が液面を覆っている導電性の水溶液が蓄えられた貯液槽と、
前記突起部の先端面と前記水溶液の前記液面との間に形成された前記脂質からなる脂質二重膜と、を具備することを特徴とする脂質二重膜デバイス。
【請求項２】
前記突起部と前記水溶液との間の電気抵抗を測定するための一対の電極を有することを特徴とする請求項１に記載の脂質二重膜デバイス。
【請求項３】
前記水溶液に膜タンパク質が溶解しており、
前記脂質二重膜に前記膜タンパク質が組み込まれていることを特徴とする請求項１に記載の脂質二重膜デバイス。
【請求項４】
先端面が曲面からなる凸形状で、導電性の含水材料からなる突起部と、脂質が溶解されている油性溶液層が液面を覆っている導電性の水溶液と、前記突起部の先端面と前記水溶液の前記液面との間に形成された前記脂質からなる脂質二重膜とを、それぞれが具備する複数の脂質二重膜デバイスを含むことを特徴とする脂質二重膜デバイスアレイ。
【請求項５】
それぞれの脂質二重膜デバイスに分離可能であることを特徴とする請求項４に記載の脂質二重膜デバイスアレイ。
【請求項６】
前記複数の脂質二重膜デバイスの、前記脂質二重膜の脂質又は面積の少なくともいずれかが異なることを特徴とする請求項４に記載の脂質二重膜デバイスアレイ。
【請求項７】
脂質が溶解されている油性溶液層が液面に浮遊している導電性の水溶液が蓄えられた貯液槽と、
導電性の含水材料からなり、曲面からなる凸形状の先端面が前記油性溶液層の上方に配置された突起部と、
前記突起部の前記先端面と、前記水溶液と前記油性溶液層との界面とが、近接するように、いずれかを移動させる駆動部と、を具備することを特徴とする脂質二重膜デバイス製造装置。
【請求項８】
脂質二重膜デバイスの前記突起部と前記水溶液との間の電気抵抗を測定する検出部を具備することを特徴とする請求項７に記載の脂質二重膜デバイス製造装置。
【請求項９】
前記駆動部が、前記貯液槽に前記水溶液を注入し前記水溶液の前記液面を上昇する水溶液注入部であることを特徴とする請求項８に記載の脂質二重膜デバイス製造装置。
【請求項１０】
貯液槽内の導電性の水溶液の液面を覆うように、脂質が溶解されている油性溶液が導入され、油性溶液層が形成される工程と、
導電性の含水材料からなる突起部の曲面からなる凸形状の先端面が、前記油性溶液層の上方に配置される工程と、
駆動部により、前記突起部の前記先端面と、前記水溶液と前記油性溶液層との界面と、が近接するよう移動することで、前記脂質からなる脂質二重膜が形成される工程と、を具備することを特徴とする脂質二重膜デバイスの製造方法。
【請求項１１】
前記駆動部である水溶液注入部による、前記貯液槽への前記水溶液の注入により前記界面が、上昇することを特徴とする請求項１０に記載の脂質二重膜デバイスの製造方法。
【請求項１２】
検出部が、前記突起部と前記水溶液との間の電気抵抗の変化をもとに前記脂質二重膜の形成を検出されることを特徴とする請求項１１に記載の脂質二重膜デバイスの製造方法。
【請求項１３】
前記水溶液に膜タンパク質が溶解しており、前記膜タンパク質が組み込まれた脂質二重膜が形成されることを特徴とする請求項１２に記載の脂質二重膜デバイスの製造方法。
【発明の詳細な説明】
【技術分野】
【０００１】
本発明は、バイオテクノロジー、バイオチップ、膜タンパク質分析、創薬スクリーニング、又はバイオセンサーなどの分野に用いられる脂質二重膜を有する脂質二重膜デバイス、複数の脂質二重膜デバイスを含む前記脂質二重膜デバイスアレイ、前記脂質二重膜デバイスを製造する脂質二重膜デバイス製造装置及び前記脂質二重膜デバイスの製造方法に関する。
【背景技術】
【０００２】
生体膜の内外で物質輸送／情報伝達に関与する膜タンパク質の機能を、１分子計測によって理解し工学的に応用するためには、単離膜タンパク質が組み込まれた人工脂質二重膜モデル実験系を構築する必要がある。しかし、係る実験系を構築するには熟練した技術を要する。このため、構築された実験系は、再現性が良くはなく、また、構築のスループットも高くはないことがあった。
【０００３】
発明者らは、特開２０１２−２０５５３６号公報において、図１に示すＭＥＭＳ技術により作製した脂質二重膜（lipid bilayer membrane）を有する脂質二重膜デバイス１０１を開示している。脂質二重膜デバイス１０１は、構築のスループット向上、小型化、分析時間の短縮化、必要な試薬の少量化及び高い再現性等を提供した。脂質二重膜デバイス１０１は、主流路１１３と、主流路１１３の側壁に開口する微小憩室（マイクロチャンバー）１１４と、を有する。
【０００４】
主流路１１３に、水溶液からなる第１液１３０Ａと、脂質二重膜の成分である脂質１２１を溶解した油性溶液からなる第２液と、水溶液からなる第３液１３０Ｂとが、順に注入されると、開口部に脂質二重膜１２２が形成される。すなわち、第１液１３０Ａが注入されると、第１液１３０Ａが主流路１１３及び微小憩室１１４を満たす。第２液が注入されると、第２液は主流路中の第１液１３０Ａを押し流しながら、微小憩室１１４に取り残された第１液１３０Ａとの間に、脂質１２１の単分子層が形成された界面を形成する。次に、第３液１３０Ｂが注入されると、主流路中の第２液は押し流される。このとき、第２液の脂質１２１は、すでに形成されている単分子層と重なるため、第１液１３０Ａと第３液１３０Ｂとの界面に脂質二重膜１２２が形成される。
【０００５】
脂質二重膜１２２には、更に所望の膜タンパク質を組み込める。そして、脂質二重膜デバイス１０１を用いて、電気計測又は蛍光観察を行うことで、モデル実験が行われる。
【０００６】
しかし、液体と液体との界面に脂質二重膜１２２を形成することは容易ではないことがあった。また、液体界面に形成された脂質二重膜１２２を安定に保持することは容易ではないことがあった。
【０００７】
これに対して、特開平５−７７７０号公報には、図２に示す、両面が高分子ゲル２１０Ａ、２１０Ｂにより保持された脂質二重膜２２２が開示されている。
【０００８】
固体である高分子ゲル２１０Ａ、２１０Ｂにより保持された脂質二重膜２２２は、安定性が高いとされている。しかし、高分子ゲル２１０Ａ、２１０Ｂの表面にＬＢ（ラングミュア・プロジェット）法により単層脂質膜を形成することは容易であっても、単層脂質膜が形成された高分子ゲル２１０Ａ、２１０Ｂを貼り合わせて、脂質二重膜２２２を形成することは容易とはいえない。
【先行技術文献】
【特許文献】
【０００９】
【特許文献１】特開特開２０１２−２０５５３６号公報
【特許文献２】特開平５−７７７０号公報
【発明の概要】
【発明が解決しようとする課題】
【００１０】
本発明の実施形態は、安定性の高い脂質二重膜を有する脂質二重膜デバイス、複数の前記脂質二重膜デバイスを含む前記脂質二重膜デバイスアレイ、前記脂質二重膜デバイスを容易に製造できる脂質二重膜デバイス製造装置、及び、安定性の高い脂質二重膜を有する脂質二重膜デバイスを容易に製造できる前記脂質二重膜デバイスの製造方法を提供することを目的とする。
【課題を解決するための手段】
【００１１】
本発明の一態様の脂質二重膜デバイスは、先端面が曲面からなる凸形状で、導電性の含水材料からなる突起部と、脂質が溶解されている油性溶液層が液面を覆っている導電性の水溶液が蓄えられた貯液槽と、前記突起部の先端面と前記水溶液の前記液面との間に形成された前記脂質からなる脂質二重膜と、を具備する。
【００１２】
また、本発明の一態様の脂質二重膜デバイスアレイは、先端面が曲面からなる凸形状で、導電性の含水材料からなる突起部と、脂質が溶解されている油性溶液層が液面を覆っている導電性の水溶液と、前記突起部の先端面と前記水溶液の前記液面との間に形成された前記脂質からなる脂質二重膜とを、それぞれが具備する複数の脂質二重膜デバイスを含む。
【００１３】
また、本発明の一態様の脂質二重膜デバイス製造装置は、脂質が溶解されている油性溶液層が液面に浮遊している導電性の水溶液が蓄えられた貯液槽と、導電性の含水材料からなり、曲面からなる凸形状の先端面が前記油性溶液層の上方に配置された突起部と、前記突起部の前記先端面と、前記水溶液と前記油性溶液層との界面とが、近接するように、いずれかを移動させる駆動部と、を具備する。
【００１４】
また、本発明の一態様の脂質二重膜デバイスの製造方法は、貯液槽内の導電性の水溶液の液面を覆うように、脂質が溶解されている油性溶液が導入され、油性溶液層が形成される工程と、導電性の含水材料からなる突起部の曲面からなる凸形状の先端面が、前記油性溶液層の上方に配置される工程と、駆動部により、前記突起部の前記先端面と、前記水溶液と前記油性溶液層との界面と、が近接するよう移動することで、前記脂質からなる脂質二重膜が形成される工程と、を具備する。
【発明の効果】
【００１５】
本発明の実施形態によれば、安定性の高い脂質二重膜を有する脂質二重膜デバイス、複数の前記脂質二重膜デバイスを含む前記脂質二重膜デバイスアレイ、前記脂質二重膜デバイスを容易に製造できる脂質二重膜デバイス製造装置、及び、安定性の高い脂質二重膜を有する脂質二重膜デバイスを容易に製造できる前記脂質二重膜デバイスの製造方法を提供できる。
【図面の簡単な説明】
【００１６】
【図１】従来の脂質二重膜デバイスの上面図である。
【図２】従来の脂質二重膜デバイスの断面図である。
【図３】第１実施形態の脂質二重膜デバイス製造装置の構造を説明するための図である。
【図４】第１実施形態の脂質二重膜デバイスの構造を説明するための図である。
【図５】第１実施形態の脂質二重膜デバイスの製造方法を説明するためのフローチャートである。
【図６】第１実施形態の脂質二重膜デバイスの製造方法を説明するための図である。
【図７】第１実施形態の変形例１の脂質二重膜デバイスの構造を説明するための図である。
【図８】第１実施形態の変形例１の脂質二重膜デバイスの製造方法を説明するための図である。
【図９】第１実施形態の変形例２の脂質二重膜デバイスの製造方法を説明するための図である。
【図１０】第１実施形態の変形例２の脂質二重膜デバイスによる電流計測を示す図である。
【図１１】第２実施形態の脂質二重膜デバイス製造装置の構造を説明するための図である。
【図１２】第２実施形態の脂質二重膜デバイス製造装置の構造を説明するための図である。
【発明を実施するための形態】
【００１７】
＜第１実施形態＞
図３及び図４に示すように、本実施形態の脂質二重膜デバイス（以下、「ＬＢデバイス」ともいう）１は、突起部１０と、貯液槽４０と、を具備する。貯液槽４０は、ＰＤＭＳ（ポリジメチルシロキサン）若しくはフッ素樹脂等の樹脂、シリコン、又はパイレックス（登録商標）ガラス等からなる。突起部１０は、先端面が曲面からなる凸形状で、導電性の含水材料からなる。貯液槽４０には油性溶液層２０が液面を覆っている導電性の水溶液３０が蓄えられている。油性溶液層２０には、脂質２１が溶解されている。そして、脂質２１からなる脂質二重膜２２が、突起部１０の先端面と水溶液３０の液面との間に形成されている。
【００１８】
突起部１０には、電極６２が配設されており、貯液槽４０には、電極６３が配設されている。電極６２、６３は、突起部１０と水溶液３０との間の電気抵抗を測定するための一対の電極を構成している。
【００１９】
そして、本実施形態の脂質二重膜デバイスの製造装置２は、ＬＢデバイス１と、駆動部であるポンプ５０と、検出部６１と、を具備する。ポンプ５０は貯液槽４０に、水溶液３０を注入し液面を上昇させる水溶液注入部である。言い換えれば、ポンプ５０は突起部１０の先端面１０ＳＡと、水溶液３０と油性溶液層２０との界面とが、近接するように両者の相対位置を変化する駆動部である。ポンプ５０Ａは油性溶液を供給する。
【００２０】
検出部６１は、一対の電極６２、６３の間に電気を印加して電気抵抗を計測する電源である。なお、定電圧制御の検出部６１は電流を計測し、定電圧駆動の検出部６１は電圧を計測する。すなわち、検出部６１は、電気抵抗そのものを計測するのではなく、電流又は電圧を計測することで、間接的に電気抵抗を計測している。
【００２１】
次に、図５のフローチャートに沿って、脂質二重膜デバイス製造装置２を用いた脂質二重膜デバイス１の製造方法について説明する。
【００２２】
＜ステップＳ１１＞
貯液槽４０に、水溶液３０が導入される。水溶液３０は、ポンプ５０を介して注水されてもよいし、貯液槽４０の上部の開口から注水されてもよい。
【００２３】
水溶液３０には、導電性のある水溶液であれば脂質二重膜の形成に影響がないことを条件として、いかなる成分を含むものであってもよい。水溶液３０には、ｐＨ緩衝生理食塩水が用いられた。
【００２４】
＜ステップＳ１２＞
ポンプ５０Ａにより油性溶液が導入され、水溶液３０の液面を覆う油性溶液層２０が形成される。油性溶液は水溶液３０の液面３０ＳＡの上方から、例えば、貯液槽４０の壁面を伝って水溶液３０の液面に供給されることが好ましい。油性溶液層２０の油性溶媒には脂質２１が溶解されている。
なお、油性溶液層２０に覆われると、水溶液３０の液面３０ＳＡは、油性溶液層２０との界面３０ＳＡとなる。
【００２５】
そして、図６（Ａ）に示すように、油性溶液層２０の脂質２１は、水溶液３０との界面３０ＳＡでは、親水基を水溶液３０に向けた単分子膜を形成している。
【００２６】
脂質２１は、脂質二重膜形成成分であり、親水基（親水性原子団）と疎水基（疎水性原子団）とを有する。脂質２１としては、例えば、リン脂質、糖脂質、コレステロール、又は、その他の化合物から、形成する脂質二重膜に応じて適宜選択される。リン脂質は、ホスファチジルコリン、ホスファチジルエタノールアミン、ホスファチジルセリン、ホスファチジルイノシトール、スフィンゴミエリン等である。糖脂質は、セレブロシド、ガングリオシド等である。
【００２７】
一方、脂質２１を溶解する油性溶媒は、各種の有機溶媒、例えば、ヘキサデカン、スクアレン等から選択される。なお、油性溶媒は絶縁性である。
【００２８】
例えば、油性溶媒のヘキサデカンに脂質としてホスファスジルコリン（DPｈPC、８５０３５６C、Ａｖａｎｔｉ  Ｐｏｌａｒ  Ｌｉｐｉｄｓ  ＩＮＣ、フナコシ株式会社）を５−２０ｍｇ／ｍＬ添加した油性溶液からなる油性溶液層２０が形成された。
【００２９】
＜ステップＳ１３＞
図６（Ａ）に示すように、突起部１０が、貯液槽４０の上方、すなわち、油性溶液層２０の上方に配置される。突起部１０の先端面と、水溶液３０と油性溶液層２０との界面３０ＳＡとの距離をｄとする。もちろん、ステップＳ１１の前にステップＳ１３が行われてもよい。
【００３０】
突起部１０は、含水材料からなる固体である。含水材料としては、スポンジ、ガラスファイバーシート、高分子ゲル又は紙等の水を内在できる固体材料から適宜選択される。突起部１０の含水率は、３０重量％以上９９重量％以下が好ましく、特に好ましくは、８０重量％以上９９重量％以下である。前記範囲内であれば適度の剛性と導電性付与とが容易である。
【００３１】
実施形態の突起部１０は高分子ゲルであるアガロースからなる。具体的には、突起部１０は、アガロースの分散水溶液を加熱し、アガロースを溶解した後、ナトリウム塩又はカリウム塩等の導電成分を加えてから、中空の型に流し込んで室温で凝固することで作製される。電極６２は凝固した突起部１０に挿入、又は接合等されてもよいし、凝固前に挿入されてもよい。
【００３２】
高分子ゲルとしては、ポリアクリルアミド、又はメチルセルロース等の生理学的な温度でゲル化する材料を用いてもよい。
【００３３】
なお、図６（Ａ）等では説明のため、棒状の突起部１０の先端部を略半球状に図示しているが、後述するように、少なくとも先端面１０ＳＡが曲面からなる凸形状であればよい。
【００３４】
また、先端面１０ＳＡが曲面からなる凸形状の電極６２を用いて、電極６２の先端面１０ＳＡの表面に、例えば、ディッピング法により薄いアガロース層を形成することで、突起部１０を構成してもよい。
【００３５】
＜ステップＳ１４＞
検出部６１が、電極６２と電極６３との間の電気抵抗、すなわち、突起部１０と水溶液３０との間の電気抵抗の計測を開始する。突起部１０の先端面が油性溶液層２０の上方にある場合には、空気層が介在するため、電極間は絶縁状態であるため抵抗は非常に高い。
【００３６】
電極間に印加する電圧又は電流は仕様により選択される。また交流信号を印加してもよい。
【００３７】
なお、図３では貯液槽４０の底面に配設された電極６３を例示しているが、電極６３は水溶液３０と接していれば、貯液槽４０の側面に配設されていてもよい。また、貯液槽４０を導電体で構成し、電極６３の機能を付与してもよい。
【００３８】
＜ステップＳ１５＞
ポンプ５０により、水溶液３０が油性溶液層２０の下方から少しずつ追加注入される。すなわち、貯液槽４０の内部の水溶液３０の体積が増加するため、水溶液３０と油性溶液層２０との界面が少しずつ上に移動する。すなわち、水溶液３０と油性溶液層２０との界面３０ＳＡとの距離ｄが減少する。ポンプ５０としては少流量を正確に制御できるシリンジポンプが特に好ましい。
【００３９】
図６（Ｂ）に示すように、突起部１０の先端面が油性溶液層２０に浸漬されると、油性溶液層２０の脂質２１は、突起部１０との界面３０ＳＡでは、親水基を突起部１０に向けた単分子膜を形成する。
【００４０】
突起部１０の先端面が油性溶液層２０に浸漬していても、電極６２、６３の間には、絶縁性の油性溶媒があるため、抵抗は汎用の評価機では計測できないほど、非常に高い。
＜ステップＳ１６＞
検出部６１が検出する電気抵抗が急激に減少するまで、水溶液３０の注入（Ｓ１５）が継続して行われる。
【００４１】
＜ステップＳ１７＞
図６（Ｃ）に示すように水溶液３０が、更に追加注入されると、突起部１０と水溶液３０の液面３０ＳＡとの間に脂質二重膜２２が形成される。脂質二重膜２２が形成されると、電極６２、６３の間の電気抵抗は急激に減少し、計測可能な数ギガオームオーダとなる。
【００４２】
検出部６１が、脂質二重膜２２の形成を検出すると、水溶液３０の注入が終了する。脂質二重膜２２形成後に水溶液３０に膜タンパク質３１を導入することで、脂質二重膜２２に膜タンパク質３１を組み込める。
【００４３】
脂質二重膜２２の厚さ、すなわち、突起部１０と水溶液３０の液面３０ＳＡとの距離ｄは、脂質２１の種類により異なるが、例えば、５ｎｍ以上２０ｎｍ以下である。
【００４４】
このため、突起部１０の先端面１０ＳＡが曲面からなる凸形状であることが非常に重要である。例えば、先端面１０ＳＡが平面であると、距離ｄを脂質二重膜２２の厚さに制御することは容易ではない。これに対して先端面１０ＳＡが曲面からなる凸形状の突起部では、脂質二重膜２２の厚さに対して距離ｄが多少小さくても、先端面１０ＳＡの一部に、リング状の脂質二重膜２２が形成できる。
【００４５】
すなわち、脂質二重膜デバイス１では、先端面１０ＳＡの全面に脂質二重膜２２を形成するのではなく、先端面１０ＳＡの一部だけに脂質二重膜２２を形成することで、距離ｄの許容範囲を広くしている。
【００４６】
先端面１０ＳＡの曲面は曲率半径は、突起部１０の半径がＤの場合、Ｄ以上１００Ｄ以下であることが好ましい。前記範囲未満では脂質二重膜２２の面積が小さく、前記範囲超では距離ｄの許容範囲が狹くなる。
【００４７】
脂質二重膜デバイス１の脂質二重膜２２は、固体である突起部１０と、液体である水溶液３０の液面との間に形成されている。このため、脂質二重膜２２は、外乱等の影響を受けにくく安定性が高い。また脂質二重膜２２は、脂質二重膜デバイス製造装置２を用いることで容易に製造できる。
【００４８】
＜第１実施形態の変形例１＞
次に、第１実施形態の変形例１の脂質二重膜デバイス１Ａ、及び脂質二重膜デバイス製造装置２Ａ等について説明する。脂質二重膜デバイス１Ａは、脂質二重膜デバイス１と類似しているので、同じ機能の構成要素には同じ符号を付し説明は省略する。
【００４９】
脂質二重膜デバイス１では、突起部１０と水溶液３０の液面３０ＳＡとの距離ｄを変化させるための駆動部として簡便に超低速移動を実現できるポンプ５０を有していた。しかし、突起部１０を下降する駆動部、又は貯液槽４０を上昇する駆動部を用いてもよい。すなわち、駆動部は突起部１０の先端面１０ＳＡと、水溶液３０と油性溶液層２０との界面３０ＳＡとが、近接するように、いずれかを移動できればよい
【００５０】
図７に示すように、脂質二重膜デバイス１Ａの駆動部５０Ａは、突起部１０Ａを押し下げる機械的駆動部である。すなわち、駆動部５０Ａは突起部１０Ａの上面と当接する押出棒１１を押し下げる。押出棒１１は銅等の導電性材料からなることが好ましいが、導線等により突起部１０Ａと導通していれば非導電性材料であってもよい。
【００５１】
貯液槽４０Ａは上部に突起部１０Ａを隙間なく挿入できる孔がある。図８（Ａ）に示すように、孔の内部の油性溶液層２０の上面及び下面には脂質２１の単分子膜が形成される。突起部１０Ａが押し下げられると、油性溶液層２０は排出部から徐々に排出され、図８（Ｂ）に示すように、突起部１０Ａと水溶液３０との界面に脂質二重膜２２が形成される。
【００５２】
変形例の脂質二重膜デバイス１Ａ（脂質二重膜デバイス製造装置２Ａ）は、脂質二重膜デバイス１と同様の効果を有する。
【００５３】
＜第１実施形態の変形例２＞
次に、第１実施形態の変形例２の脂質二重膜デバイス１Ｂ、及び脂質二重膜デバイス製造装置２Ｂ等について説明する。脂質二重膜デバイス１Ｂは、脂質二重膜デバイス１と類似しているので、同じ機能の構成要素には同じ符号を付し説明は省略する。
【００５４】
第１実施形態では水溶液３０に、ｐＨ緩衝生理食塩水が用いられた。これに対して、膜タンパク質が溶解された水溶液を用いることで、膜タンパク質が組み込まれている脂質二重膜２２を作製できる。
【００５５】
すなわち、脂質二重膜デバイス１Ｂでは、脂質二重膜２２を形成後に、膜タンパク質が溶解された水溶液が、水溶液３０を廃液口（不図示）から押し流すように、注入されると、脂質二重膜２２に膜タンパク質が組み込まれる。脂質二重膜デバイス１Ｂは、水溶液３０を排出する排出ポンプを具備していてもよい。
【００５６】
例えば、図９に示すように、膜タンパク質３１としてヘモシリンを用いると、取り込まれたヘモリシンが７量体３１Ｓを形成して脂質二重膜２２を貫通する微細孔が形成される。
【００５７】
水溶液３０として、Ｈａｎｋｓ緩衝塩類溶液（Ｃａ+）１４０２５（ライフテクノロジーズジャパン株式会社）にαヘモリシン（Ｈ９３９５−．５ｍｇ、シグマ アルドリッチジャパン株式会社）を１μｇ／ｍＬを添加した。
【００５８】
図１０は、検出部６１が６０ｍＶの定電圧信号を電極（６２、６３）の間に印加した場合の、電流の時間変化を示している。時間ｔ１において電流が急激に２５ｐＡ増加している。この電流増加により脂質二重膜２２の形成及び脂質二重膜２２へのヘモシリンの組み込みが確認される。
【００５９】
なお、時間ｔ２において電流が一度低下しているのは、組み込まれたヘモシリンがはずれたが直ちに再度、組み込まれたためである。また時間ｔ３において電流が更に２５ｐＡ増加しているのは、脂質二重膜２２の２箇所でヘモシリンの７量体が組み込まれ、２つの貫通孔が形成されたためである。
【００６０】
また、検出部６１が３０ｍＶの低電圧信号を印加した場合の、電流の増加ピッチは約１２ｐＡであり、９０ｍＶの低電圧信号を印加した場合の、電流の増加ピッチは約３７ｐＡであった。すなわち、ヘモシリンの７量体により形成される貫通孔の抵抗値は、約２．５×１０６オームである。
【００６１】
膜タンパク質が組み込まれている脂質二重膜２２の電気抵抗は、組み込まれていない場合と比較すると非常に小さい。このため、変形例の脂質二重膜デバイス１Ｂ（脂質二重膜デバイス製造装置２Ｂ）では、より確実に脂質二重膜の形成を検知できる。
【００６２】
＜第２実施形態＞
次に第２実施形態の脂質二重膜デバイスアレイ３、及び脂質二重膜デバイスアレイの製造装置２Ｃ等について説明する。脂質二重膜デバイスアレイ３等は、脂質二重膜デバイス１と類似しているので同じ機能の構成要素には類似の符号を付し、説明は省略する。
図９及び図１０に示すように、本実施形態の脂質二重膜デバイスアレイ３は、複数の脂質二重膜デバイス１Ｃ１〜１Ｃ３からなる。
【００６３】
なお、図９等では説明のため、３個の脂質二重膜デバイス１Ｃ１〜１Ｃ３が、１次元的に、すなわち直線的に配列している状態を例示している。しかし、複数の脂質二重膜デバイスは、２次元的に多数個、例えば１０〜１００個が配列していることが好ましい。
【００６４】
脂質二重膜デバイスアレイ３の複数の脂質二重膜デバイス１Ｃ１〜１Ｃ３は分離可能である。すなわち、貯液槽４０Ｃは、基板４０Ｃ４の凹部に、３つの貯液槽４０Ｃ１〜４０Ｃ３を嵌合することで作製されている。
【００６５】
脂質二重膜デバイス１Ｃ１〜１Ｃ３は、すでに説明した製造方法により、脂質二重膜２２Ｃ１〜２２Ｃ３を形成した後に、基板４０Ｃ４から、貯液槽４０Ｃ１〜４０Ｃ３を突起部１０Ｃ１〜１０Ｃ３とともに分離できる。分離前に水溶液３０の注入口は封止されることは言うまでも無い。
【００６６】
そして、分離された、それぞれの脂質二重膜デバイス１Ｃ１〜１Ｃ３は、例えば環境モニタセンサとして、それぞれの測定場所に移動して使用できる。
【００６７】
なお、図９等に示す脂質二重膜デバイスアレイ３では、検出部６１が、１個の突起部１０Ｃ２の電極６２Ｃ２と、電極６３Ｃ２との間の電気抵抗を検出し、脂質二重膜２２Ｃ２の形成を検知している。
しかし、脂質二重膜デバイス１Ｃ１〜１Ｃ３の電極を並列接続して電気抵抗を計測してもよい。
【００６８】
また、第１実施形態の変形例の脂質二重膜デバイスのように、膜タンパク質が溶解した水溶液を用いて、膜タンパク質が組み込まれている脂質二重膜を形成してもよい。
【００６９】
なお、突起部１０の先端面の位置（高さ）を正確に配設することは容易ではない場合もあるが、歩留まり１００％ではなく、歩留まり５０％であったとしても、脂質二重膜デバイスアレイ３は同時に多数の脂質二重膜デバイス１Ｃを製造できる。
【００７０】
また、複数の脂質二重膜デバイス１Ｃ１〜１Ｃ３には、脂質又は面積の少なくともいずれかが異なる脂質二重膜２２Ｃ１〜２２Ｃ３が形成されていてもよい。すなわち、油性溶液層２０Ｃ１〜２０Ｃ３の脂質の種類が異なっていてもよい。また、突起部１０Ｃ１〜１０Ｃ３の形状が異なっていてもよい。
【００７１】
本実施形態の脂質二重膜デバイスアレイ３によれば、複数の脂質二重膜デバイス１Ｃ１〜１Ｃ３を同時に一括して製造できる。そして、それぞれの脂質二重膜デバイス１Ｃ１〜１Ｃ３は、すでに説明した脂質二重膜デバイス１の効果を有する。
【００７２】
本発明は、上述した実施形態に限定されるものではなく、本発明の要旨を変えない範囲において、種々の変更、改変等ができる。
【符号の説明】
【００７３】
１、１Ａ、１Ｂ、１Ｃ１〜１Ｃ３…脂質二重膜デバイス、２…脂質二重膜デバイス製造装置、３…脂質二重膜デバイスアレイ、１０…突起部、２０…油性溶液層、２１…脂質、２２…脂質二重膜、３０…水溶液、３０ＳＡ…液面（界面）、３１…膜タンパク質、４０…貯液槽、５０…ポンプ、６１…検出部、６２…電極、６３…電極
【図１】
2014161821.tif 000003
【図２】
2014161821.tif 000004
【図３】
2014161821.tif 000005
【図４】
2014161821.tif 000006
【図５】
2014161821.tif 000007
【図６】
2014161821.tif 000008
【図７】
2014161821.tif 000009
【図８】
2014161821.tif 000010
【図９】
2014161821.tif 000011
【図１０】
2014161821.tif 000012
【図１１】
2014161821.tif 000013
【図１２】
2014161821.tif 000014